(57)【要約】      （修正有）【課題】タイムコード信号を含む日本標準電波（［JJY］）とＧＰＳ衛星からの電波とを同時に受信して、前記タイムコード信号の立ち上がりの遅れ及び／又はジッターを、ＧＰＳ衛星からの電波から得られる１秒パルスを用いて補正する日本標準時タイムコード信号修正装置を提供する。【解決手段】タイムコード信号イを含む日本標準電波を受信し、タイムコード信号イを出力するＪＪＹアンテナ受信機と、ＧＰＳ衛星からの電波を受信し、１秒パルス信号ロを出力するＧＰＳアンテナ受信機と、タイムコード信号イと１秒パルス信号ロとを同時に受信して、タイムコード信号イの立ち上がりの遅れ及び／又はジッターを、１秒パルス信号ロを用いて補正された修正タイムコード信号ハを発生するパルス信号合成回路と、を備える。【選択図】図２
0003219664.tif 000002
【実用新案登録請求の範囲】
【請求項１】
タイムコード信号を含む日本標準電波とＧＰＳ衛星からの電波とを同時に受信して、前記タイムコード信号の立ち上がりの遅れ及び／又はジッターを、前記ＧＰＳ衛星からの電波から得られる１秒パルスを用いて補正する日本標準時タイムコード信号修正装置。
【考案の詳細な説明】
【技術分野】
【０００１】
本考案は、電波時計及び／又は電波修正時計装置に使用するタイムコード信号修正装置に関する。詳しくは、受信される日本標準電波（以下 [JJY]と記す）から得られる日本標準時（以下 [JST]と記す）のタイムコード信号を、高精度に修正するためのタイムコード信号修正装置に関するものである。
【背景技術】
【０００２】
[JJY]の電波は、長波帯（４０kHz、６０kHz）を１秒毎に断続して、その長さを０．２秒、０．５秒、０．８秒の３通りの組み合わせで、タイムコードを構成している。
【０００３】
上記タイムコードを１分間で、年、月、日 、時、分の情報他を構成していて、秒の桁は、各００秒からタイムコードの１秒毎の立ち上がりでインクリメントしている。
【先行技術文献】
【特許文献】
【０００４】
【特許文献１】特開２００１−１５９６９１号公報
【特許文献２】特開２００１−２３５５７０号公報
【特許文献３】特開２００３−０６６１７１号公報
【非特許文献】
【０００５】
【非特許文献１】独立行政法人 情報通信研究機構  日本標準時グループ のホームページ [２００４年４月現在]、インターネット＜URL：1537939417805_0.html＞
【非特許文献２】独立行政法人 情報通信研究機構  日本標準時グループ のホームページ[サーバから供給された時刻]、開いた時に日本標準時(JST)、協定世界時(UTC)、国際原子時(TAI)、等がリアルタイムで表示する。インターネット＜URL：1537939417805_1.html＞
【非特許文献３】シーデックス株式会社 のホームページ[２０１８年９月２５日現在]、インターネット＜URL：1537939417805_2.jp＞
【考案の概要】
【考案が解決しようとする課題】
【０００６】
[JJY]のタイムコード信号の、秒における立ち上がりの遅れやジッターは、数ミリ秒から十数ミリ秒程度が観測されている。
【０００７】
[JJY]電波を受信する電気回路には、コイルとコンデンサーで構成する同調回路や水晶フルター等が使用されているために、タイムコード信号の立ち上がり時間に遅れを生ずるだけでなく、電波の強さの変動や、周辺のノイズの影響によって、不規則なジッターを生じて、時刻精度を悪くしている。
【０００８】
また、最近は殆どのエアコンの駆動がインバーターになっているので、ここから輻射している長波帯の大きなノイズのために、[JJY]が正確に受信し難くなっている問題もある。
【０００９】
[JJY]から得られる[JST]の時刻精度は、受信状況が良い場合でも、±１０ミリ秒程度である。
【００１０】
[JJY]は、送信設備の保守、点検のために、停波する場合があり、この間は一般市販の電波時計や電波修正時計装置の時刻精度が悪くなる。
【００１１】
米国が打ち上げたＧＰＳ衛星、及び／又は日本が打ち上げた順天頂衛星「みちびき」（以下 [GPS]と記す）の電波を受信して得られる、国際原子時（TAI）は、うるう秒の補正が行われていないので、[JST]とは異なる。求められていることは、受信される日本標準電波（JJY）から日本標準時（JST）に高精度に修正するために用いられる日本標準時タイムコード信号を出力することである。
【課題を解決するための手段】
【００１２】
本考案に係る日本標準時タイムコード信号修正装置は、タイムコード信号を含む日本標準電波（［JJY］）とＧＰＳ衛星からの電波とを同時に受信して、前記タイムコード信号の立ち上がりの遅れ及び／又はジッターを、前記ＧＰＳ衛星からの電波から得られる１秒パルスを用いて補正する。
【考案の効果】
【００１３】
本考案は、[JJY]を受信して得られる[JST]の時刻精度を、著しく向上する効果がある。
【図面の簡単な説明】
【００１４】
【図１】図１は、本考案の実施例１の[JJY]と[GPS]を同時に受信した時のタイミングを示す説明図である。
【図２】図２は、本考案の実施例２のブロック図である。
【図３】図３は、本考案の実施例３のブロック図である。
【図４】図４は、本考案の実施例４のブロック図である。
【考案を実施するための形態】
【００１５】
引き続いて、添付図面を参照しながら、本考案の日本標準時タイムコード信号修正装置に係る実施の形態を説明する。可能な場合には、同一の部分には同一の符号を付する。
【００１６】
本考案の日本標準時タイムコード信号修正装置は、[JJY]のアンテナ受信機と、[GPS]のアンテナ受信機を用いて、同時に各電波を受信し、各パルス信号を合成して、安定した高時刻精度の[JST]を得るように構成されている装置である。以下、いくつかの実施例について説明する。  
【実施例１】
【００１７】
以下、本発明の実施例1について図面を用いて説明する。
図１は、本考案装置の実施例１のタイムチャートであって、図１において、１は０．２秒幅の[JJY]のタイムコード信号の一部分であり、秒の立ち上がり部分４は、ジッターを伴って、不規則な遅れが生じている。
【００１８】
図１において、２は[GPS]から得られる１秒パルス信号のタイムチャートであって、[JJY]から得られる１秒パルス信号と比較すると、桁違いに正確でジッターも殆ど無い。
【００１９】
図１において、３は[JJY]から得られるタイムコード信号と[GPS]から得られる１秒パルス信号を合成したタイムチャートであって、正確で安定した[JST]のタイムコード信号になっている。
【実施例２】
【００２０】
図２は、本考案装置の実施例２のブロック図である。
【００２１】
図２において、イは[JJYアンテナ受信機]から得られた[JST]のタイムコード信号である。
【００２２】
図２において、ロは[GPSアンテナ受信機]から得られた１秒パルス信号である。
【００２３】
従来の [電波修正時計装置]（シーデックス株式会社の製品）と[アンテナ受信機]の間に[パルス信号合成回路]を含む日本標準時タイムコード信号修正装置を挿入して、[JJY アンテナ受信機]と[GPS アンテナ受信機]からの信号を合成して得られた[パルス信号合成回路]からのタイムコード信号ハを[電波修正時計装置]に出力している。タイムコード信号ハは、図1における正確で安定した[JST]のタイムコード信号３になっている。[電波修正時計装置]は、[パルス信号合成回路]からのタイムコード信号ハを用いて時刻を修正し、パソコンや工場内で使用するシーケンサ等の外部機器に時刻信号を出力する装置である。この日本標準時タイムコード信号修正装置を用いることにより、[JJY]を受信して得られる[JST]の時刻精度を、著しく向上させることができる。
【実施例３】
【００２４】
図３は、本考案装置の実施例３のブロック図である。
【００２５】
[パルス信号合成回路]を含む日本標準時タイムコード信号修正装置と[電波修正時計装置]とを同一の筐体に収めて一体化することで、製品の簡素化を図った装置である。
【実施例４】
【００２６】
図４は、本考案装置の実施例４のブロック図である。
【００２７】
[パルス信号合成回路]を含む日本標準時タイムコード信号修正装置を[JJY アンテナ受信機]と[ GPS アンテナ受信機]の同一の筐体に収めて一体化し、製品の簡素化を図った装置である。
【００２８】
以上、本考案の好適な実施形態について説明したが、本考案は上記実施形態に限定されるものではない。例えば、本実施形態における日本標準時タイムコード信号修正装置は、電波修正時計装置以外にも電波時計にも適用できる。また、本実施形態における日本標準時タイムコード信号修正装置では、一度[JJY]を正常に受信した後に、[JJY]が停波した場合には、電波時計及び／又は電波修正時計装置の秒カウントを、ＧＰＳ衛星[GPS]の１秒パルスを用いてインクリメントすることができる。これにより、[JJY]が停波した場合でも時刻精度を維持することができる。
【図１】
0003219664.tif 000003
【図２】
0003219664.tif 000004
【図３】
0003219664.tif 000005
【図４】
0003219664.tif 000006
【手続補正書】
【提出日】平成30年11月7日(2018.11.7)
【手続補正１】
【補正対象書類名】実用新案登録請求の範囲
【補正対象項目名】全文
【補正方法】変更
【補正の内容】
【実用新案登録請求の範囲】
【請求項１】
タイムコード信号を含む日本標準電波を受信し、前記タイムコード信号を出力するＪＪＹアンテナ受信機と、
ＧＰＳ衛星からの電波を受信し、１秒パルス信号を出力するＧＰＳアンテナ受信機と、
前記タイムコード信号と前記１秒パルス信号とを同時に受信して、前記タイムコード信号の立ち上がりの遅れ及び／又はジッターを、前記１秒パルス信号を用いて補正された修正タイムコード信号を発生するパルス信号合成回路と、を備える日本標準時タイムコード信号修正装置。